(57)【要約】【課題】  装置を初期起動して装置間接続が完了した時点から送受信光パワーを適正に自動調整できるようにする。【解決手段】  一方の光伝送装置１１において、光受信器１１ｂで受信された受信光の光パワーが光受信器１１ｂにおける適正な受信パワー値となったか否かを判定するとともに、上記の受信光パワーが受信パワー値となったと判定された場合に、当該一方の光伝送装置１１における光送信器１１ａで送信する光のパワーを上昇させる制御を停止するとともに、他方の光伝送装置１２において、光受信器１２ｂで受信された受信光の光パワーが当該光受信器１２ｂにおける適正な受信パワー値となったか否かを判定するとともに、上記の受信光パワーが適正な受信パワー値となったと判定された場合に、当該他方の光伝送装置１２における光送信器１２ａで送信する光のパワーを上昇させる制御を停止する。【選択図】        図１
2005136772.tif 000002
【特許請求の範囲】
【請求項１】
光ファイバを介して２つの光伝送装置が接続され、上記２つの光伝送装置のうちの一方の光伝送装置が、該光ファイバを介し上記２つの光伝送装置のうちの他方の光伝送装置に対して光を送信する第１光送信器と、上記他方の光伝送装置からの光を受信光として受信する第１光受信器とをそなえ、該第１光受信器で受信される光のパワーをもとに該第１光送信器で送信する光のパワーを制御するように構成され、上記他方の光伝送装置が、該光ファイバを介し上記一方の光伝送装置に対して光を送信する第２光送信器と、上記一方の光伝送装置からの光を受信光として受信する第２光受信器と、該第２光受信器で受信される光のパワーをもとに該第２光送信器で送信する光のパワーを制御するように構成された光通信システムにおける上記各光伝送装置による送信光パワー制御方法であって、
上記各光伝送装置の起動時において、当該それぞれの光伝送装置における該光送信器で上記送信する光として、十分に小さな光パワーで発光し、
上記２つの光伝送装置における一方の光伝送装置において、該光送信器での発光とともに、他方の光伝送装置の光送信器から伝送される光について該光受信器で受光したことを確認すると、該光受信器で受信された受信光の光パワーをもとに、当該一方の光伝送装置における光送信器で送信する光のパワーを上昇させる制御を行なうとともに、
上記２つの光伝送装置における他方の光伝送装置において、該光送信器での発光とともに、一方の光伝送装置の光送信器から伝送される光について該光受信器で受光したことを確認すると、該光受信器で受信された受信光の光パワーをもとに、当該他方の光伝送装置における光送信器で送信する光のパワーを上昇させる制御を行ない、
かつ、上記２つの光伝送装置における一方の光伝送装置において、該光受信器で受信された受信光の光パワーが当該光受信器における適正な受信パワー値となったか否かを判定するとともに、上記の受信光パワーが受信パワー値となったと判定された場合に、当該一方の光伝送装置における光送信器で送信する光のパワーを上昇させる制御を停止するとともに、
上記２つの光伝送装置における他方の光伝送装置において、該光受信器で受信された受信光の光パワーが当該光受信器における適正な受信パワー値となったか否かを判定するとともに、上記の受信光パワーが適正な受信パワー値となったと判定された場合に、当該他方の光伝送装置における光送信器で送信する光のパワーを上昇させる制御を停止することを
特徴とする、送信光パワー制御方法。
【請求項２】
光ファイバを介して２つの光伝送装置が接続され、各光伝送装置が、該光ファイバを介し対向光伝送装置に対して光を送信する光送信器と、該対向光伝送装置からの光を受信光として受信する光受信器と、該光受信器で受信される光のパワーをもとに該光送信器で送信する光のパワーを制御する送信光パワー制御部とをそなえてなる光通信システムにおける各光伝送装置の上記送信光パワー制御部による送信光パワー制御方法であって、
該光送信器において上記送信する光を、起動時においては十分に小さな光パワーで発光する初期起動制御ステップと、
該初期起動制御ステップにおける該光送信器での発光とともに、対向光伝送装置から伝送される光の光受信器での受光をそれぞれ確認する発光・受光確認ステップと、
該発光・受光確認ステップにおいて上記発光および受光をともに確認してから開始し、該光受信器で受信された受信光の光パワーをもとに、当該光伝送装置における光送信器で送信する光のパワーを上昇させる制御を行なう光パワー上昇制御ステップと、
該光受信器で受信された受信光の光パワーが当該光受信器における適正な受信パワー値となったか否かを判定するとともに、上記の受信光パワーが受信パワー値となったと判定された場合に、当該光伝送装置における光送信器で送信する光のパワーを上昇させる制御を停止する判定制御ステップと、
をそなえて構成されたことを特徴とする、送信光パワー制御方法。
【請求項３】
該光パワー上昇制御ステップにおいては、
各光伝送装置の光送信器で送信する光のパワーを、互いにほぼ同一の周期でステップ状に上昇させるように制御することにより、それぞれの光送信器で送信する光のパワー制御を同期させることを特徴とする、請求項２記載の送信光パワー制御方法。
【請求項４】
光ファイバを介して２つの光伝送装置が対向して接続されてなる光通信システムであって、
上記２つの光伝送装置のそれぞれが、
該光ファイバを介し対向光伝送装置に対して光を送信する光送信器と、
該対向光伝送装置からの光を、該光ファイバを介し受信する光受信器と、
該光受信器で受信される光のパワーを検出する受信光パワー検出部と、
該光送信器で送信する光のパワーを制御する送信光パワー制御部とをそなえ、
かつ、該送信光パワー制御部が、
起動時に十分に小さな光パワーで発光させるとともに、
該受信光パワー検出部で検出された受信光パワーをもとに該光受信器での受光を確認するとともに、該光送信器における上記起動時の発光をそれぞれ確認すると、該光送信器で送信する光のパワーについての上昇を開始させる一方、
該受信光パワー検出部で検出された受信光パワー値に応じて、当該光伝送装置における光送信器で送信する光のパワーの上昇を制御すべく構成されたことを特徴とする、光通信システム。
【請求項５】
光ファイバを介して２つの光伝送装置が対向して接続されてなる光通信システムにおける光伝送装置であって、
該光ファイバを介し対向光伝送装置に対して光を送信する光送信器と、
該対向光伝送装置からの光を、該光ファイバを介し受信する光受信器と、
該光受信器で受信される光のパワーを検出する受信光パワー検出部と、
該光送信器で送信する光のパワーを制御する送信光パワー制御部とをそなえ、
かつ、該送信光パワー制御部が、
起動時に十分に小さな光パワーで発光させるとともに、
該受信光パワー検出部で検出された受信光パワーをもとに該光受信器での受光を確認するとともに、該光送信器における上記起動時の発光をそれぞれ確認すると、該光受信器での受信光パワーを目標値とするために、該対向光伝送装置からの光レベルを上昇させるべく、該光送信器で送信する光のパワーについての上昇を開始させる一方、
該受信光パワー検出部で検出された受信光パワー値に応じて、当該光伝送装置における光送信器で送信する光のパワーの上昇を制御すべく構成されたことを特徴とする、光伝送装置。
【発明の詳細な説明】
【技術分野】
【０００１】
本発明は、光通信分野において適用される送信光パワー制御方法，光通信システムおよび光伝送装置に関し、特に無中継双方向伝送を行なう際に用いて好適の、送信光パワー制御方法，光通信システムおよび光伝送装置に関し、更にはプラグアンドプレイ機能を実現する装置間での光通信を行なう際に用いて好適の、送信光パワー制御方法，光通信システムおよび光伝送装置に関するものである。
【背景技術】
【０００２】
従来より、互いに対向する２つの光伝送装置間を光ファイバ等の伝送路で伝送して、双方向で光通信を行なうシステムが様々な形態で開発されている。図１６は、双方向伝送形態による光通信システムの一例を示すブロック図である。
この図１６に示す光通信システム１００においては、２本の光ファイバ１０３，１０４を介して互いに対向する２つの光伝送装置１０１，１０２が接続されてなるもので、各光伝送装置１０１，１０２は光送信部１０１ａ，１０２ａおよび光受信部１０１ｂ，１０２ｂをそなえている。
【０００３】
そして、光伝送装置１０１の光送信部１０１ａにおいては、入力される電気信号により変調された光信号を出力して、光ファイバ１０３を介して光伝送装置１０２の光受信部１０２ｂに向けて伝送し、光伝送装置１０２の光送信部１０２ａにおいては、入力される電気信号により変調された光信号を出力して、光ファイバ１０４を介して光伝送装置１０１の光受信部１０１ｂに向けて伝送するようになっている。
【０００４】
また、光伝送装置１０１の光受信部１０１ｂは、光伝送装置１０２の光送信部１０２ａからの光信号を受光して、その受光レベルに応じた電気信号として出力する。同様に、光伝送装置１０２の光受信部１０２ｂは、光伝送装置１０１の光送信部１０１ａからの光信号を受光して、その受光レベルに応じた電気信号として出力する。
これにより、図１６に示す光通信システム１００においては、双方の光伝送装置１０１，１０２間において、電気信号が変調された光信号を互いに送受することにより、双方向伝送を可能としている。
【０００５】
また、近年においては、このような双方向伝送形態による光通信システムの光伝送装置としては、電源を投入して光ファイバを接続すれば、接続先の光伝送装置との通信が可能となるような、いわゆるプラグアンドプレイ機能を有した光通信を行なうシステムの提供が求められている。このプラグアンドプレイ機能を有する装置を用いることにより、利用者が光ネットワークを構築する際の作業工数を削減することが期待できる。
【０００６】
上述のごとき機能を有する光通信システムを実現するためにも、光伝送装置側においては、電源投入して光ファイバを接続した時点から、接続される伝送路である光ファイバの損失等によらずに適正に光の送受を行なうことができるようにすることが望ましい。このためには、伝送路の損失によらず、光受信部をなす受光素子の適正レベルで受信光を受光できるようにすることが必要である。
【０００７】
一般的に、長距離の伝送路を介した通信システムでは伝送路での損失が比較的大きくなるため、このような長距離の伝送路を介した通信システム用には光伝送装置としての光送受信器についても伝送路上での損失によっても通信に耐えうるような仕様で開発されることになる。即ち、伝送路での損失が比較的大きなシステムで用いることを想定した光送受信器においては、大きな送信光パワーで送信光を発光できるような性能を有している。
【０００８】
このような伝送路上での損失が比較的大きい通信システム用に開発された光送受信器を、伝送路の損失が比較的小さなシステム（即ち比較的短距離の光ファイバを介して光伝送装置間が接続されたシステム）で使用する場合には、光送受信器が過大な光入力を受けることとなる。
このため、伝送路の損失が比較的大きなシステム用に設計された光送受信器を伝送路の損失が小さなシステムで用いる場合には、伝送品質を確保するため、そして、信号光を受光する光部品の品質に影響を与えないようにするために、何らかの手段により受信光パワーの調整を行なう必要がある。
【０００９】
この受信光パワーの調整のためには、受信側装置において受信しようとする光を減衰させる手法と、送信側装置において送信すべき光の光レベルを制御して、受信側装置において適正レベルで受信できるようにする手法とがある。これまでも、送受信器間の距離、伝送損失にあわせて光送信器の出力を制御する技術はいくつか提案されている。
たとえば、逆方向の光パワーをモニタし、これにより送信器の光出力パワーを制御して、送受信器間の距離が短い場合には光送信器の光出力を下げて受信器の過負荷を防ぐようにした技術が提案されている（特許文献１参照）。
【００１０】
また、受信側で得た受光光量の情報を送信側にフィードバックするようにして、送信側の発光光量を制御するようにして、受光光量が過大となり受信側アンプなどが飽和して受信できない状態を有効に回避できるようにした技術についても提案されている（特許文献２参照）。
【特許文献１】特開平１−１０１０３５号公報
【特許文献２】特開平１１−２０５２３９号公報
【発明の開示】
【発明が解決しようとする課題】
【００１１】
しかしながら、特許文献１に記載された技術においては、受光した光パワーが大きな場合には送受信器間の距離が短いと判断し、光送信器の出力光パワーを下げるものであり、システムの初期起動時の過剰光パワー入力を防止することはできない。更には、二組の送信器、受信器の接続が完了したことを自動的に認識するものではないため、装置間接続の完了を認識すると自動的に光送信器の出力制御を開始させることはできない。
【００１２】
また、特許文献２に記載された技術においては、送受信器間での通信が成立してから後の、受信側で得た光量に関する情報を送信側にフィードバックにより送信側の光量(光パワー)を制御しているので、やはり初期起動時の過剰光パワー入力を防止するものではなく、また、装置間接続の完了を認識すると自動的に光送信器の出力制御を開始させることはできない。
【００１３】
すなわち、上述のいずれの公知技術においても、長距離用の大きな送信光パワーを持つ送受信器を短距離システムで用いる場合等において必要となる、初期起動時の過剰光パワー入力の防止を行なうことは困難であり、又、装置の電源投入とともに装置間接続が完了すると自動的に光送信器の出力制御を調整して通信環境を設定するという、いわゆるプラグアンドプレイ機能の実現が困難であるという課題があった。
【００１４】
本発明は、このような課題に鑑み創案されたもので、上述のごときプラグアンドプレイ機能を実現するために必要な、装置を初期起動して装置間接続が完了した時点から送受信光パワーを適正に自動調整できるようにした、送信光パワー制御方法，光通信システムおよび光伝送装置を提供することを目的とする。
【課題を解決するための手段】
【００１５】
このため、本発明の送信光パワー制御方法は、光ファイバを介して２つの光伝送装置が接続され、上記２つの光伝送装置のうちの一方の光伝送装置が、該光ファイバを介し上記２つの光伝送装置のうちの他方の光伝送装置に対して光を送信する第１光送信器と、上記他方の光伝送装置からの光を受信光として受信する第１光受信器とをそなえ、該第１光受信器で受信される光のパワーをもとに該第１光送信器で送信する光のパワーを制御するように構成され、上記他方の光伝送装置が、該光ファイバを介し上記一方の光伝送装置に対して光を送信する第２光送信器と、上記一方の光伝送装置からの光を受信光として受信する第２光受信器と、該第２光受信器で受信される光のパワーをもとに該第２光送信器で送信する光のパワーを制御するように構成された光通信システムにおける上記各光伝送装置による送信光パワー制御方法であって、上記各光伝送装置の起動時において、当該それぞれの光伝送装置における該光送信器で上記送信する光として、十分に小さな光パワーで発光し、上記２つの光伝送装置における一方の光伝送装置において、該光送信器での発光とともに、他方の光伝送装置の光送信器から伝送される光について該光受信器で受光したことを確認すると、該光受信器で受信された受信光の光パワーをもとに、当該一方の光伝送装置における光送信器で送信する光のパワーを上昇させる制御を行なうとともに、上記２つの光伝送装置における他方の光伝送装置において、該光送信器での発光とともに、一方の光伝送装置の光送信器から伝送される光について該光受信器で受光したことを確認すると、該光受信器で受信された受信光の光パワーをもとに、当該他方の光伝送装置における光送信器で送信する光のパワーを上昇させる制御を行ない、かつ、上記２つの光伝送装置における一方の光伝送装置において、該光受信器で受信された受信光の光パワーが当該光受信器における適正な受信パワー値となったか否かを判定するとともに、上記の受信光パワーが受信パワー値となったと判定された場合に、当該一方の光伝送装置における光送信器で送信する光のパワーを上昇させる制御を停止するとともに、上記２つの光伝送装置における他方の光伝送装置において、該光受信器で受信された受信光の光パワーが当該光受信器における適正な受信パワー値となったか否かを判定するとともに、上記の受信光パワーが適正な受信パワー値となったと判定された場合に、当該他方の光伝送装置における光送信器で送信する光のパワーを上昇させる制御を停止することを特徴としている。
【００１６】
また、本発明の送信光パワー制御方法は、光ファイバを介して２つの光伝送装置が接続され、各光伝送装置が、該光ファイバを介し対向光伝送装置に対して光を送信する光送信器と、該対向光伝送装置からの光を受信光として受信する光受信器と、該光受信器で受信される光のパワーをもとに該光送信器で送信する光のパワーを制御する送信光パワー制御部とをそなえてなる光通信システムにおける各光伝送装置の上記送信光パワー制御部による送信光パワー制御方法であって、該光送信器において上記送信する光を、起動時においては十分に小さな光パワーで発光する初期起動制御ステップと、該初期起動制御ステップにおける該光送信器での発光とともに、対向光伝送装置から伝送される光の光受信器での受光をそれぞれ確認する発光・受光確認ステップと、該発光・受光確認ステップにおいて上記発光および受光をともに確認してから開始し、該光受信器で受信された受信光の光パワーをもとに、当該光伝送装置における光送信器で送信する光のパワーを上昇させる制御を行なう光パワー上昇制御ステップと、該光受信器で受信された受信光の光パワーが当該光受信器における適正な受信パワー値となったか否かを判定するとともに、上記の受信光パワーが受信パワー値となったと判定された場合に、当該光伝送装置における光送信器で送信する光のパワーを上昇させる制御を停止する判定制御ステップと、をそなえて構成されたことを特徴としている。
【００１７】
さらに、光パワー上昇制御ステップにおいては、各光伝送装置の光送信器で送信する光のパワーを、互いにほぼ同一の周期でステップ状に上昇させるように制御することにより、それぞれの光送信器で送信する光のパワー制御を同期させることとしてもよい。
また、本発明の光通信システムは、光ファイバを介して２つの光伝送装置が対向して接続されてなる光通信システムであって、上記２つの光伝送装置のそれぞれが、該光ファイバを介し対向光伝送装置に対して光を送信する光送信器と、該対向光伝送装置からの光を、該光ファイバを介し受信する光受信器と、該光受信器で受信される光のパワーを検出する受信光パワー検出部と、該光送信器で送信する光のパワーを制御する送信光パワー制御部とをそなえ、かつ、該送信光パワー制御部が、起動時に十分に小さな光パワーで発光させるとともに、該受信光パワー検出部で検出された受信光パワーをもとに該光受信器での受光を確認するとともに、該光送信器における上記起動時の発光をそれぞれ確認すると、該光送信器で送信する光のパワーについての上昇を開始させる一方、該受信光パワー検出部で検出された受信光パワー値に応じて、当該光伝送装置における光送信器で送信する光のパワーの上昇を制御すべく構成されたことを特徴としている。
【００１８】
さらに、本発明の光通信システムは、光ファイバを介して２つの光伝送装置が対向して接続されてなる光通信システムにおける光伝送装置であって、該光ファイバを介し対向光伝送装置に対して光を送信する光送信器と、該対向光伝送装置からの光を、該光ファイバを介し受信する光受信器と、該光受信器で受信される光のパワーを検出する受信光パワー検出部と、該光送信器で送信する光のパワーを制御する送信光パワー制御部とをそなえ、かつ、該送信光パワー制御部が、起動時に十分に小さな光パワーで発光させるとともに、該受信光パワー検出部で検出された受信光パワーをもとに該光受信器での受光を確認するとともに、該光送信器における上記起動時の発光をそれぞれ確認すると、該光受信器での受信光パワーを目標値とするために、該対向光伝送装置からの光レベルを上昇させるべく、該光送信器で送信する光のパワーについての上昇を開始させる一方、該受信光パワー検出部で検出された受信光パワー値に応じて、当該光伝送装置における光送信器で送信する光のパワーの上昇を制御すべく構成されたことを特徴としている。
【発明の効果】
【００１９】
したがって、本発明によれば、送信光パワー制御により、光伝送装置を初期起動して装置間接続が完了した時点から送受信光パワーを適正に自動調整することができるので、光伝送装置間の通信に際して、接続される光ファイバの長さを考慮する必要なく、伝送路での損失を測定することなく受光素子での最適パワーで光を受光すべく送信光パワーを制御することができ、延いては光伝送装置間の伝送に際しプラグアンドプレイ機能を実現することができる利点がある。
【００２０】
また、接続される光ファイバの長さを考慮する必要なく、受光素子での最適パワーで光を受光すべく送信光パワーを制御することができるので、特に最大パワー入力時には受光素子の性能を低下させる可能性があるほどの大きな発光性能を持つ長距離システム用の光送受信モジュールを短距離システムで用いる場合でも、初期起動時から送受信光パワーの自動調整機能を実現することができるので、ネットワーク設計の際には、伝送路でのファイバ長や介装される機器等による損失に応じて仕様の異なる光伝送装置を接続するような手間を不要とし、光ファイバの距離に応じて光送受信モジュールを選択する必要がなくなり、ネットワークシステム設計の際の便宜に資する利点もある。
【発明を実施するための最良の形態】
【００２１】
以下、図面を参照することにより、本発明の実施の形態を説明する。
［ａ］第１実施形態の説明
図１は本発明の第１実施形態にかかる光通信システム１０を示すブロック図であり、この図１に示す光通信システム１０は、２本の光ファイバ１３−１，１３−２を介して対向する２つの光伝送装置１１，１２が接続されて、双方向で光信号を送受することができるようになっている。尚、以下においては、光ファイバ１３−１を上り回線の光ファイバ（上り光ファイバ）とし、光ファイバ１３−２を下り回線の光ファイバ（下り光ファイバ）とする。
【００２２】
また、これら２つの光伝送装置１１，１２を接続する光ファイバ１３−１，１３−２は、例えば図２に示すように、１本の光ファイバケーブル１３として束ねられるとともに、光伝送装置１１，１２側との着脱作業が容易なコネクタ構造をそなえている。
具体的には、光伝送装置１１に設けられている挿入受け部１１ｄに、光ファイバケーブル１３の一端部に設けられた挿入部１３ａを挿入することにより、第１光送信部１１ａと上り光ファイバ１３−１とを接続し、第１光受信部１１ｂと下り光ファイバ１３−２とを接続することができる。更に、光伝送装置１２に設けられている挿入受け部１２ｄに、光ファイバケーブル１３の他端部に設けられた挿入部１３ｂを挿入することにより、第２光送信部１２ａと下り光ファイバ１３−２とを接続し、第２光受信部１２ｂと上り光ファイバ１３−１とを接続することができる。
【００２３】
また、この図１に示す光通信システム１０は、１０ギガビット・イーサネット（Ｒ）などで使用しうる全二重通信を行なうことができるものであって、上述のごとき光ファイバケーブル１３の光伝送装置１１，１２への接続とともに、各光伝送装置１１，１２の電源投入によって、自動的に互いの光伝送装置１１，１２間で適正レベルで光信号を送受できるようにして、光通信によるいわゆるプラグアンドプレイの実現を図ろうとするものである。
【００２４】
ここで、これら２つの光伝送装置１１，１２のうちの一方の光伝送装置１１は、上り光ファイバ１３−１を介して他方の光伝送装置１２に対して光を送信する第１送信器１１ａと、他方の光伝送装置１２からの光を下り光ファイバ１３−２を介して受信光として受信する第１光受信器１１ｂと、第１送信器１１ａで送信される送信光のパワーを制御する制御部１１ｃとをそなえて構成されている。
【００２５】
同様に、他方の光伝送装置１２は、下り光ファイバ１３−２を介して一方の光伝送装置１１に対して光を送信する第２光送信器１２ａと、一方の光伝送装置１１からの光を上り光ファイバ１３−１を介して受信光として受信する第２光受信器１２ｂと、第２光送信器１２ａで送信される送信光のパワーを制御する制御部１２ｃとをそなえて構成されている。
【００２６】
図３は光伝送装置１１（又は光伝送装置１２）における第１光送信器１１ａおよび第１光受信器１１ｂ（第２光送信器１２ａおよび第２光受信器１２ｂ）の要部とともに制御部１１ｃ（１２ｃ）について示す図である。光伝送装置１２の第２光送信器１２ａ，第２光受信器１２ｂおよび制御部１２ｃはそれぞれ、光伝送装置１１における第１光送信器１１ａ，第１光受信器１１ｂおよび制御部１１ｃに対応するものであるため、ここでは光伝送装置１１に着目して説明する。
【００２７】
第１光受信器１１ｂにおいては、この図３に示すように、下り光ファイバ１３−２からの光を受光しその受信する光のパワーに応じた振幅の電気信号を出力する受光素子としてのフォトダイオード（ＰＤ）１１ｂ−１（１２ｂ−１）および抵抗１１ｂ−２（１２ｂ−２）をそなえており、この光パワーに応じた電気信号については上述の制御部１１ｃとともに、図示しない受信信号処理を行なう信号処理部にも出力される。
【００２８】
第１光送信器１１ａは、この図３に示すように、入力される電気信号により変調された光信号を送信光として出力する発光素子としての例えばレーザダイオード（ＬＤ）１１ａ−１（１２ａ−１）をそなえているが、この送信光の光パワーは制御部１１ｃで制御されている。
換言すれば、光伝送装置１１の制御部１１ｃは、第１光受信器１１ｂで受信した受信光の光パワーに基づいて第１光送信部１１ａでの送信光のパワーを制御するものである。即ち、これらの光伝送装置１１，１２の制御部１１ｃ，１２ｃによる送信光レベルの制御を互いに行なうことによって、いわゆるプラグアンドプレイでの適正な光レベル通信を行なうことができるようにしている。
【００２９】
ここで、この制御部１１ｃはフォトダイオード１１ｂ−１からの電気信号についてアナログ信号からディジタル信号に変換するＡ／Ｄ変換部１１ｃ−１およびＡ／Ｄ変換部１１ｃ−１からの上述の受信光パワーを示すディジタル信号をもとにＬＤ１１ａ−１を制御する送信光パワー制御部１１ｃ−２をそなえて構成されている。制御部１２ｃにおいても、上述の制御部１１ｃと同様に、Ａ／Ｄ変換部１２ｃ−１および送信光パワー制御部１２ｃ−２をそなえている。
【００３０】
したがって、上述のフォトダイオード１１ｂ−１およびＡ／Ｄ変換部１１ｃ−１は、第１光受信器１１ｂで受信される光のパワーを検出する受信光パワー検出部として機能し、フォトダイオード１２ｂ−１およびＡ／Ｄ変換部１２ｃ−１は、第２光受信器１２ｂで受信される光のパワーを検出する受信光パワー検出部として機能する。そして、送信光パワー制御部１１ｃ−２，１２ｃ−２はそれぞれ、第１，第２光送信器１１ａ，１２ａで送信する光のパワーを制御するようになっている。
【００３１】
ここで、上述の送信光パワー制御部１１ｃ−２，１２ｃ−２としては、ともに、各装置１１，１２の起動時に十分に小さな光パワー（送信光パワー）で発光させる起動時発光機能とともに、以下に示すような上昇制御機能をそなえている。
まず、起動時発光機能における発光レベル、即ち上述の起動時において発光される光の光パワーを、対向光伝送装置の光受信器としての受光素子において、当該受光素子の暗電流よりも大きな振幅の電流信号が入力されるような光パワーとなるように、対向光伝送装置に送信すべき光の光パワーを制御する。これにより、起動直後の光伝送装置１１，１２間の通信においても、対向光伝送装置の受光素子に過大な光が入力されることなく、受光素子の性能を低下させることもない。
【００３２】
具体的には、送信光パワー制御部１１ｃ−２における起動時発光機能に着目すると、対向光伝送値装置１２の第２光受信器１２ｂとしてのフォトダイオード１２ｂ−１において、当該フォトダイオード１２ｂ−１の暗電流（光入力を検出しなくとも電源接続により流れる電流値）よりも大きな振幅の電流信号が入力されるような光パワーとなるように、第１光送信器１１ａにおいて対向光伝送装置１２に送信すべき光の光パワーを制御する。
【００３３】
換言すれば、初期起動時の「十分に小さな送信光パワー」（図５における光パワー値「Ｓ」）とは、光通信システムで予想される最大の損失条件の場合でも、受信側で受光が確認でき、かつバック・トゥ・バックの条件でも受信側に影響を与えない条件を満足することである。例えば、最大で１２ｄＢの損失が予想される光通信システム１０（第１条件）において適用される光伝送装置１１，１２の光受信器１１ｂ，１２ｂの最大受信光パワーを−１ｄＢｍとする。この場合、バック・トゥ・バックの条件でこの規格を満たすためには、光送信器１１ａ，１２ａの起動時の光出力パワーを−１ｄＢｍ以下にする必要がある。ここでは、１ｄＢのマージンを考え、光送信器１１ａ，１２ａ起動時の光出力パワーを−２ｄＢｍであるものとする（第２条件）。
【００３４】
したがって、上述の第１条件および第２条件から起動時の受信光パワーの最小値は、−１４ｄＢｍ (≒0.04 mW)となる。例えば、受光感度の最悪値が０．７０Ａ／Ｗ，最大出力パワー３［ｄＢｍ］，暗電流５００［ｎＡ］のカタログ値を有する受光素子を光受信器に用いた場合には、受信光パワーを示す電流値は、０．０４[ｍＷ]×０．７０[Ａ／Ｗ]＝２８[μＡ]となる。
【００３５】
一方で、この受光素子の暗電流は０．５[ｎＡ]であるので、−１４ｄＢｍの光の受光時の光電流（２８[μＡ]）は、暗電流と比べ十分に大きく、受光素子からの電流値をもとに受光すなわち伝送路接続が確立したことを容易に判別できることがわかる。
また、送信光パワー制御部１１ｃ−２の上昇制御機能に着目すると、Ａ／Ｄ変換部１１ｃ−１で検出された受信光パワーをもとに第１光受信器１１ｂでの（対向する光伝送装置１２の第２光送信器１２ａからの光の）受光を確認するとともに、自身の光伝送装置１１の第１光送信器１１ａにおける上述の起動時の発光をそれぞれ確認すると、第１光送信器１１ａで送信する光のパワーについての上昇を開始させる一方、Ａ／Ｄ変換部１１ｃ−１で検出された受信光パワー値に応じて、当該光伝送装置１１における第１光送信器１１ａで送信する光のパワーの上昇を制御するようになっている。送信光パワー制御部１２ｃ−２においても同様である。
【００３６】
さらに、送信光パワー制御部１１ｃ−２，１２ｃ−２の上昇制御機能としては、第１光送信器１１ａ，第２光送信器１２ａで送信する光のパワーを、互いに同一の周期および上昇量でステップ状に上昇させるように制御することにより、第１光送信器１１ａ，第２光送信器１２ａで送信する光のパワー制御を同期させるように構成されている。
また、送信光パワー制御部１１ｃ−２，１２ｃ−２の上昇制御機能として、それぞれ、Ａ／Ｄ変換部１１ｃ−１，１２ｃ−１で検出された受信光パワーが、第１，第２光受信器１１ｂ，１２ｂにおける適正な受信パワー値まで上昇したか否かを判定するとともに、受信光パワーが適正な受信パワー値まで上昇したと判定された場合に、当該光伝送装置１１，１２における第１，第２光送信器１１ａ，１２ａで送信する光のパワーの上昇を停止すべく第１，第２光送信器１１ａ，１２ａを制御するようになっている。
【００３７】
このようにして、光伝送装置１１，１２の電源が投入されて、互いの光送信器１１ａ，１２ａおよび光受信器１１ｂ，１２ｂでの発光および受光を確認すると、送信する光のパワーが適正な受信パワーまで自動で上昇制御されるようになるので、いわゆるプラグアンドプレイ機能を実現することができるようになっている。
図４は２つの光伝送装置における一方の光伝送装置１１（又は他方の光伝送装置１２）の送信光パワー制御部１１ｃ−２（１２ｃ−２）による制御に着目して説明するためのフローチャートである。
【００３８】
まず、各光伝送装置１１，１２の起動時においては、当該それぞれの光伝送装置１１，１２における第１，第２光送信器１１ａ，１２ａで送信する光として、十分に小さな光パワー（対向光伝送装置の受光素子の暗電流よりも少なくとも大きい電流が検出電流として流れる光パワー、図４中においてはＳ［ｄＢｍ］）で発光する（ステップＳ１，Ｓ２）。
そして、一定の待ち時間Ｔの経過後に（ステップＳ３）、対向する光伝送装置からの初期起動時の送信光を受光したか否かを判定する（ステップＳ４）。対向する光伝送装置からの送信光を受光しない場合には、受光するまで待機する（ステップＳ４のＮＯルート）。
【００３９】
たとえば、光伝送装置１１の送信光パワー制御部１１ｃ−２においては、第１光受信器１１ｂからの受信光レベルに基づいて、光伝送装置１２から出力された初期起動時の送信光（光パワーＳｄＢｍで発光した光）を受信したか否かを判定する。
ここで、２つの光伝送装置１１，１２における一方の光伝送装置１１の送信光パワー制御部１１ｃ−２において、第１光送信器１１ａでの発光とともに、他方の光伝送装置１２の第２光送信器１２ａから伝送される光について第１光受信器１１ｂで受光したことを確認すると、所定の待ち時間Ｔ１の経過後に（ステップＳ４のＹＥＳルートからステップＳ５）、第１光受信器１１ｂで受信された受信光の光パワーをもとに、当該一方の光伝送装置１１における第１光送信器１１ａで送信する光のパワーを上昇させる制御を開始する（ステップＳ６のＮＯルートからステップＳ７〜Ｓ９）。
【００４０】
他方の光伝送装置１２の送信光パワー制御部１２ｃ−２においても同様である。即ち、第２光送信器１２ａでの発光とともに、光伝送装置１１の第１光送信器１１ａから伝送される光について第２光受信器１２ｂで受光したことを確認すると、所定の待ち時間Ｔ１の経過後に（ステップＳ５）、第２光受信器１２ｂで受信された受信光の光パワーをもとに、当該光伝送装置１２における第２光送信器１２ａで送信する光のパワーを上昇させる制御を開始する（ステップＳ６のＮＯルートからステップＳ７〜Ｓ９）。
【００４１】
たとえば、送信光パワー制御部１１ｃ−２において、第１光受信器１１ｂで受信された受信光の光のパワーをＡ／Ｄ変換部１１ｃ−１から取り込み、測定された光パワーが当該第１光受信器１１ｂにおける適正受信レベルとなる基準値で受信されるようになったか否かを判定する（ステップＳ６）。そして、上述の適正受信レベルで受信されるようになっていないと判定された場合に、所定の待ち時間Ｔ２経過後に（ステップＳ７）、第１光送信器１１ａで発光する送信光の光出力パワーをＡ［ｄＢｍ］だけ増加させる（ステップＳ８）。
【００４２】
送信光パワー制御部１１ｃ−２においては、上述のごとき第１光受信器１１ｂで受信された受信光の光のパワーに応じた第１光送信器１１ａの送信光パワーの増加制御を、前回の光パワー測定タイミングから時間Ｔ３を置きながら（ステップＳ９）、測定された光パワーが当該第１光受信器１１ｂにおける適正受信レベルとなるまで繰り返す。これにより、送信光パワー制御部１１ｃ−２においては、第１光送信器１１ａにおける光パワーを複数段階に分けてステップ状に増加させていくことができる。
【００４３】
光伝送装置１２の送信光パワー制御部１２ｃ−２においても同様に、第２光受信器１２ｂからの受信光の光パワーの測定値が当該第２光受信器１２ｂにおける適正受信レベルとなるまで第２光送信器１２ａにおける光パワーを複数段階に分けてステップ状に増加させていくことができる。
そして、光伝送装置１１の送信光パワー制御部１１ｃ−２において、第１光受信器１１ｂで受信された受信光の光パワーが当該第１光受信器１１ｂにおける適正な受信パワー値となったか否かを判定するとともに、受信光パワーが適正な受信パワー値となったと判定された場合に、当該一方の光伝送装置における光送信器で送信する光のパワーを上昇させる制御を停止させる（ステップＳ６のＹＥＳルートからステップＳ１０）。
【００４４】
同様に、光伝送装置１２の送信光パワー制御部１２ｃ−２において、第２光受信器１２ｂで受信された受信光の光パワーが当該第２光受信器１２ｂにおける適正な受信パワー値となったか否かを判定するとともに、受信光パワーが適正な受信パワー値となったと判定された場合に、当該光伝送装置１２における第２光送信器１２ａで送信する光のパワーを上昇させる制御を停止させる（ステップＳ６のＹＥＳルートからステップＳ１０）。
【００４５】
図５は、双方の制御部１１ｃ，１２ｃによる制御の一例を説明するためのタイムチャートである。特に、図５は光伝送装置１１，１２間の光ファイバケーブル１３が接続されてから、その後に、光伝送装置１１，１２の電源が投入された場合の送信光パワー制御の例である。
送信光パワーの制御は、光伝送装置１１，１２ともに規定の変化量でかつ規定の時間的間隔で制御することにより、各光伝送装置１１，１２の第１，第２光送信器１１ａ，１２ａのパワー上昇制御を同期させることができる。
【００４６】
すなわち、光伝送装置１１，１２に光ファイバケーブル１３が接続されてから（時点ｔ０）、光伝送装置１１の電源が投入されると（時点ｔ２）、送信光パワー制御部１１ｃ−２では、第１光送信器１１ａを十分小さい発光パワーＳで発光する（時点ｔ３）。同様に、光伝送装置１２の電源が投入されると（時点ｔ４）、送信光パワー制御部１２ｃ−２では、第２光送信器１２ａを十分小さい発光パワーＳで発光する（時点ｔ５）。
【００４７】
光伝送装置１１および光伝送装置１２の送信光パワー制御部１１ｃ−１，１２ｃ−２ではそれぞれ、ほぼ同時の時点（時点ｔ５参照）において、第１，第２光送信器１１ａ，１２ａでの発光とともに、第１，第２光受信器１１ｂ，１２ｂにおける対向光伝送装置１２，１１からの光（発光パワーＳで発光された光）の受光を確認する。
すると、送信光パワー制御部１１ｃ−１，１２ｃ−２ではそれぞれ、上昇制御機能により、待ち時間Ｔ１の時間経過後に、第１，第２光送信器１１ａ，１２ａでの送信光パワーの上昇制御を開始させる。
【００４８】
具体的には、光伝送装置１１の送信光パワー制御部１１ｃ−２において、上述の第１光送信器１１ａでの発光および第１光受信器１１ｂでの受光を確認してから時間Ｔ１の経過後に、第１光受信器１１ｂで受信された受信光の光パワーをＡ／Ｄ変換部１１ｃ−１から取り込み（時点ｔ６）、この受信光パワーがフォトダイオード１１ｂ−１での適正レベルであるか否かを判定する。
【００４９】
時点ｔ６においては、取り込まれた受光レベルはＳ［ｄＢｍ］の送信光に相当するレベルであるので、増加量Ａ［ｄＢｍ］だけ第１光送信器１１ａでの送信光の光パワーを上昇制御する（時点ｔ７）。以降、送信光の光パワーを上昇させた時点からＴ３時間経過後に第１光受信器１１ｂで受信された受信光の光パワーをＡ／Ｄ変換部１１ｃ−１から取り込み（時点ｔ８）、同様に上昇制御させてゆく。
【００５０】
第１，第２光受信部１１ｂ、１２ｂの双方の受光素子の適正受光レベルがＳ+３Ａ［ｄＢｍ］であるとすると、取り込まれた受光パワーがフォトダイオード１１ｂ−１での適正レベルまで上昇するまで、増加量Ａ［ｄＢｍ］ずつ適正受光レベルとなるまでステップ状に増加させる。
そして、Ａ／Ｄ変換部１１ｃ−１で取り込まれた第１光受信器１１ｂでの受光レベルが、フォトダイオード１１ｂ−１での適正受光レベルまで上昇したと判定されると（時点ｔ９）、送信光パワー制御部１１ｃ−２では、第１光送信器１１ａでの送信光パワーの上昇制御を停止させる。
【００５１】
このようにして、光ファイバケーブル１３を接続した後、光伝送装置１１，１２を動作させた場合は、光伝送装置１１，１２の後から動作させたほうが動作開始すると同時に、光受信器１１ｂ，１２ｂが受光する。そして、第１，第２光送信器１１ａ，１２ａの発光動作と、第１，第２光受信器１１ｂ，１２ｂの受光のアンド条件により伝送路接続が確立した(第１，第２光送信器１１ａ，１２ａが正しく発光し、伝送路としての光ファイバ１３−１，１３−２が接続されて、第１，第２光受信器１１ｂ，１２ｂで受光動作を開始した)ものと判断可能であり、これをトリガとして第１，第２光送信器１１ａ，１２ａの送信光パワーを同期制御する。即ち、光伝送装置１１，１２では、光ファイバケーブル１３を接続するとともに、双方の電源を投入することで、自動的にお互いの受光素子の適正レベルで光を受光できるように、送信光パワーを制御することができるようになる。
【００５２】
また、第１，第２光送信器１１ａ，１２ａの特性のバラツキによる余熱時間の違いなどの影響により、起動すなわち、送信光パワー制御部１１ｃ−２，１２ｃ−２が伝送路接続の確立を認識するタイミングに若干の時間差Ｔが生じることも考えられるが、このような想定される時間差よりも十分に送信光パワーを制御する時間的な間隔Ｔ３を長く取ることにより、光伝送装置１１，１２間で常に同じ条件で受信光パワーをモニタすることとなり、同期条件を保たせることができる。
【００５３】
このように、本発明の第１実施形態にかかる光通信システム１０によれば、送信光パワー制御部１１ｃ，１２ｃにより、光伝送装置１１，１２を初期起動して装置間接続が完了した時点から送受信光パワーを適正に自動調整することができるので、光伝送装置１１，１２間の通信に際して、接続される光ファイバの長さを考慮する必要なく、伝送路での損失を測定することなく受光素子での最適パワーで光を受光すべく送信光パワーを制御することができ、延いては光伝送装置１１，１２間の伝送に際しプラグアンドプレイ機能を実現することができる利点がある。
【００５４】
また、接続される光ファイバの長さを考慮する必要なく、受光素子での最適パワーで光を受光すべく送信光パワーを制御することができるので、特に最大パワー入力時には受光素子の性能を低下させる可能性があるほどの大きな発光性能を持つ長距離システム用の光送受信モジュールを短距離システムで用いる場合でも、初期起動時から送受信光パワーの自動調整機能を実現することができるので、ネットワーク設計の際には、伝送路でのファイバ長や介装される機器等による損失に応じて仕様の異なる光伝送装置を接続するような手間を不要とし、光ファイバの距離に応じて光送受信モジュールを選択する必要がなくなり、ネットワークシステム設計の際の便宜に資する利点もある。
【００５５】
［ａ１］第１実施形態の第１変形例の説明
図６は本発明の第１実施形態の第１変形例にかかる、双方の制御部１１ｃ，１２ｃによる制御態様を説明するためのタイムチャートである。特に、この制御態様では光伝送装置１１，１２の電源が投入されてから、その後に、光伝送装置１１，１２間の光ファイバケーブル１３が接続された場合の送信光パワー制御の例である。
【００５６】
光ファイバケーブル１３の接続に先行して光伝送装置１１，１２の電源が投入されているので（時点ｔ１１，ｔ１２）、光伝送装置１１，１２の第１，第２光送信器１１ａ，１２ａがともに発光しているか否かは、それぞれの光伝送装置１１，１２自体（送信光パワー制御部１１ｃ−２，１２ｃ−２）で識別が可能である。
そして、光伝送装置１１，１２間の光ファイバケーブル１３のコネクタ接続が完了する（時点ｔ１３）とほぼ同時に、第１、第２光受信器１１ｂ，１２ｂでは対向する光伝送装置１２，１１からの送信光を受光する。従って、各光伝送装置１１，１２においては、それぞれの光送信器１１ａ，１２ａの発光動作と光受信器１１ｂ，１２ｂの受光の確認により伝送路接続が確立したと判断することができる（時点ｔ１４）。
【００５７】
上述のごとく伝送路接続が確立したと判断された後は、前述の図５の場合と同様にして光パワーの上昇制御が行なわれる（時点ｔ６〜時点ｔ９）。
なお、光伝送装置１１，１２のうちのいずれかのみを起動させてから光ファイバケーブル１３を接続した場合は、光ファイバケーブル１３を接続した後、双方の光伝送装置１１，１２を動作させた場合とほぼ同様で、後から起動させた光伝送装置１１，１２が動作開始する時点で双方の第１，第２光受信器１１ｂ，１２ｂが光を受光する。従って、各光伝送装置１１，１２においては、それぞれの光送受信器１１ａ，１２ａの発光動作と、光受信器１１ｂ，１２ｂの受光の確認により、伝送路接続が確立したものと判断可能である。
【００５８】
また、第１，第２光送信器１１ａ，１２ａの特性のバラツキによる余熱時間の違いなどの影響により、起動すなわち、送信光パワー制御部１１ｃ−２，１２ｃ−２が伝送路接続の確立を認識するタイミングに若干の時間差Ｔが生じることも考えられるが、このような想定される時間差よりも十分に送信光パワーを制御する時間的な間隔Ｔ３を長く取ることにより、光伝送装置１１，１２間で常に同じ条件で受信光パワーをモニタすることとなり、同期条件を保たせることができる。
【００５９】
したがって、図６に示すように送信光パワーを制御しても、前述の第１実施形態の場合と同様の利点を得ることができる。
［ａ２］第１実施形態の第２変形例の説明
図７は本発明の第１実施形態の第２変形例にかかる、双方の制御部１１ｃ，１２ｃによる制御態様を説明するためのタイムチャートである。特に、この制御態様では光伝送装置１１，１２間の光ファイバケーブル１３が接続されてから、光伝送装置１１，１２の電源が投入された場合において、光伝送装置１１，１２の特性のバラツキや、光ファイバケーブル１３をなす光ファイバ１３−１，１３−２の特性のバラツキに対応して送信光パワー制御を行なうようにしたものである。
【００６０】
すなわち、送信光パワー制御部１１ｃ−２，１２ｃ−２はそれぞれ、Ａ／Ｄ変換部１１ｃ−１，１２ｃ−１で検出された受信光パワーの上昇が、光受信器１１ｂ，１２ｂにおける適正な受信パワー値まで上昇した場合に、光送信器１１ａ，１２ａで送信する光のパワーを更に一定量上昇させた後に当該上昇を停止すべく、光送信器１１ａ，１２ａを制御するようになっている。
【００６１】
実際に使用される光伝送装置１１，１２では、光送信器１１ａ，１２ａおよび光受信器１１ｂ，１２ｂの特性のバラツキや、上り下りの光ファイバ１３−１，１３−２のファイバ特性のバラツキなどにより、完全に上り下りの送信光パワーおよび受信光パワーが一致するとは限らない。
たとえば、光伝送装置１１が光伝送装置１２よりも先に、受信光パワーが基準値に達したと判断し送信光パワーの増加を停止したとする。この時、光伝送装置１２の受信光パワーは基準値に達していないため、光伝送装置１２では送信光パワーを増加しつづける。光伝送装置１１の送信光パワーの増加は停止しているため、光伝送装置１２では送信光のパワー増加を続けることとなる。
【００６２】
この場合には、光伝送装置１１の受光素子１１ｂ−１が損傷する前段階でこれを回避することが必要となる。このために、図７に示すように、受信光パワーが基準値に到達後も、予想されるバラツキ範囲よりも大きくかつ受光素子に影響を与えない範囲で一定量送信光パワーを増加した後、光パワーの増加を停止するように制御すれば、光伝送装置１１，１２そして光ファイバ特性のバラツキなどによる、送信光パワー、受信光パワーのばらつきを吸収することができる。
【００６３】
たとえば、光ファイバ１３−１による伝送損失をα+Ａ[ｄＢｍ]、光ファイバ１３−２による伝送損失をα [ｄＢｍ]とし、光ファイバ１３−１，１３−２間に損失のバラツキが生じている場合を仮定する。
双方の光受信器１１ｂ，１２ｂの受光素子１１ｂ−１，１２ｂ−１の適正受光レベルをＳ+３Ａ−α[ｄＢｍ]であるとすると、時点ｔ９においては、光送信器１２ａでの送信光パワーはＳ+３Ａであるので、光伝送装置１１における受信光の光パワーは適正受光レベルであるＳ+３Ａ−α[ｄＢｍ]となる。反面、光送信器１１ａでの送信光パワーはＳ＋３Ａであるにもかかわらず光伝送装置１２における受信光の光パワーはＳ+２Ａ−α[ｄＢｍ]となる。
【００６４】
この場合においては、時点ｔ９において、光伝送装置１１における光送信器１１ａからの送信光の光パワーについては、受信光パワーが適正レベルにあるとしても更に所定レベル（Ａ［ｄＢｍ］）増加させ、Ｓ+４Ａとする（時点ｔ１０）。
また、光伝送装置１２においては、時点ｔ１１において、光伝送装置１２における光受信器１２ｂでの送信光の光パワーは適正レベル（Ｓ+３Ａ−α[ｄＢｍ]）となるが、光送信器１２ａでの送信光パワーを、更に所定レベル（Ａ［ｄＢｍ］）増加させ、Ｓ+５Ａ［ｄＢｍ］として停止させる（時点ｔ１２）
なお、時点ｔ１２において、光受信器１１ｂでの受信光パワーは、Ｓ＋４Ａ−α［ｄＢｍ］となり、適正レベル（Ｓ＋３Ａ−α［ｄＢｍ］）を超えることになるが、この受信光パワーについては受光素子１１ｂ−１の受光許容範囲（ダイナミックレンジ）の範囲内に十分入るものとすることができる。一般的な受光素子のダイナミックレンジは１０ｄＢ程度あるので、受光レベルが適正レベルを上回ったとしても受光素子の受光許容範囲内で、十分伝送特性のバラツキを吸収することができる。
【００６５】
したがって、図７に示すように送信光パワーを制御すれば、前述の第１実施形態の場合と同様の利点を得ることができるほか、上り／下りの伝送路における伝送特性のバラツキを吸収させることができる。
［ａ３］第１実施形態の第３変形例の説明
図８は本発明の第１実施形態の第３変形例にかかる、双方の制御部１１ｃ，１２ｃによる制御態様を説明するためのタイムチャートである。特に、この制御態様では光伝送装置１１，１２間の光ファイバケーブル１３が接続されてから、光伝送装置１１，１２の電源が投入された場合において、受光光パワーが基準値に到達していなくても送信光パワーの増加を停止することにより、先に送信光パワーの増加を停止した光伝送装置の光受信器に過剰な光パワーが入力されることを回避するようにしたものである。
【００６６】
すなわち、送信光パワー制御部１２ｃ−２において、受信光の光パワーの上昇が、当該光受信器１２ｂにおける適正な受信パワー値に至らずに停止すると（時点ｔ１０）、光送信器１２ａで送信する光のパワーの上昇を、上記受信光パワーの上昇の停止時点から所定時間Ｔｃの経過後に停止させる。
図８に示すものにおいては、光伝送装置１２の送信光パワー制御部１２ｃ−２における送信光パワーの増加は、一定の周期（Ｔ２＋Ｔ３）で行なわれているので、Ｔｃが上述の送信光パワー増加周期を２周期含んでいるので、光送信器１２ａで送信する光のパワーの上昇を、更に一定量（２Ａ［ｄＢｍ］）上昇させた後に停止させることになる。
【００６７】
このようにすれば、前述の図５の場合と同様の利点があるほか、光送信器１２ａの光パワーの上昇を時間Ｔｃ経過後に停止することができるので、先に送信光パワーの増加を停止した側の光伝送装置１１の光受信器１１ｂに、光送信器１２ａからの過剰な光パワーが入力されることを回避することができる。
［ａ４］第１実施形態の第４変形例の説明
図９は本発明の第１実施形態の第４変形例にかかる、双方の制御部１１ｃ，１２ｃによる制御態様を説明するためのタイムチャートである。特に、この制御態様では光伝送装置１１，１２間の光ファイバケーブル１３が接続されてから、光伝送装置１１，１２の電源が投入された場合において、受光パワーが基準値に到達せずに一定となった場合において、送信光パワーを更に上昇させる旨を相手側光伝送装置に送信するようにして、上り下りの伝送路での損失特性のバラツキがあったり、各受光素子１１ｂ−１，１２ｂ−１の性能が異なっていたりしても、互いの受光素子１１ｂ−１，１２ｂ−１で適正なレベルで受光できるようにしたものである。
【００６８】
たとえば図９に示すように、送信光パワー制御部１２ｃ−２が、Ａ／Ｄ変換部１２ｃ−１で検出された受信光パワーの上昇が、光受信器１２ｂにおける適正な受信パワー値まで上昇せずに停止した場合に、光送信器１２ａで送信する光のパワーを、対向光伝送装置１１から送信すべき光のパワーを増加させる要求を示すパターン（具体的には光パワーがＴ２＋Ｔ３を周期として増減するパターン）とすべく、光送信器１２ａを制御するようになっている。
【００６９】
換言すれば、図９は送信光パワーの増減の繰り返しを一方の光伝送装置１１への送信光パワーの増加要求とした場合の例を示している。この場合においては、光受信器１１ｂの受信光パワーが基準値に達し、光受信器１２ｂの受信光パワーがその段階で基準値に達していない場合（時点ｔ９参照）の例である。
光伝送装置１１の送信光パワー制御部１１ｃ−２では、受信光パワーが基準値に到達したので、送信光パワーの増加を停止するが（時点ｔ１０）、光伝送装置１２の送信光パワー制御部１２ｃ−２では、受信光パワーが基準値に到達していないので、送信光のパワー変動パターンを上述のごときパターンとすることで（時点ｔ９〜ｔ１１）、光伝送装置１１の光送信器１１ａに対して送信光パワーの増加要求を出している。
【００７０】
光伝送装置１１の送信光パワー制御部１１ｃ−２では、光伝送装置１２からの光のパターンから、送信光の増加要求パターンを取り出し（時点ｔ１１）、対応して送信光を上昇させる制御を再開する（時点ｔ１２）。そして、光伝送装置１２での受信光パワーが基準値を満足した場合には、送信光パワー制御部１２ｃ−２では送信光パワーを一定として、光伝送装置１１での送信光パワーの増加制御を停止させる（時点ｔ１３）。
【００７１】
このように、図９に示すように互いの送信光を制御することで、前述の第１実施形態で得られる利点があるほか、上り下りの伝送路での損失特性のバラツキがあったり、各受光素子１１ｂ−１，１２ｂ−１の性能が異なっていたりしても、互いの受光素子１１ｂ−１，１２ｂ−１で適正なレベルで受光させることができる利点がある。
なお、送信光パワーの増加要求を示すパターンとしてはいろいろなパターンが考えられる。図９の例では、光伝送装置１１の受信光パワーが基準値に到達すれば、即ち、光伝送装置１２から光伝送装置１１へ向けた通信が可能ということであるから、送信光パワーの増加要求を示す何らかのコードが変調された光を送信することにより、送信光パワーの増加要求としても良い。
【００７２】
［ａ５］第１実施形態の第５変形例の説明
図１１は本発明の第１実施形態の第５変形例にかかる、双方の制御部１１ｃ，１２ｃによる制御態様を説明するためのタイムチャートである。特に、この制御態様では上り下りの光ファイバ１３−１，１３−２を別線で配線する場合において、光伝送装置１１，１２間の上り光ファイバ１３−１が接続されてから（時点ｔ３１）、相当時間経過後に下り光ファイバ１３−２が接続された（時点ｔ３）場合において、互いの受光素子の信頼性を向上させたものである。
【００７３】
上下の光ファイバ１３−１，１３−２の接続に相当の時間差があった場合、図１１のごとき信頼性の向上のための制御を行わない場合は、図１０に示すように、光受信器にファイバが接続された側の光伝送装置（この場合には光受信器１２ｂ側の上り光ファイバ１３−１を先に接続しているので、光伝送装置１２）において、先行して上昇制御を開始する条件が成立するので（時点ｔ２２）、送信光パワー制御部１２ｃ−２では上述の送信光パワーの上昇制御を開始する。
【００７４】
この送信光パワー制御部１２ｃ−２における送信光パワーの上昇制御が開始されてから相当時間が経過しても、下り光ファイバ１３−２が接続されていない場合には、光送信器１２ａでは受信側で適正受光レベルとなりうる送信光レベルＳ＋３Ａ［ｄＢｍ］を超えて、デバイスとしての最高出力の光パワー（例えば、Ｓ＋６Ａ［ｄＢｍ］）まで送信光パワーが増加することが考えられる。このとき、残りの光ファイバ１３−１が接続されることとなると、光伝送装置１１の受光素子１１ｂ−１に過大な光が入力されることになる（時点ｔ２３）。
【００７５】
これに対し、図１１に示すように、光受信器に光ファイバ（図１１の場合にも上り光ファイバ１３−１が接続されているので、光伝送装置１２の光受信器１２ｂ）が接続された側の送信光パワー制御部１２ｃ−２では、光パワーの上昇制御を開始するが、一定時間（例えばモニタ周期（Ｔ２＋Ｔ３）の２周期分）経過後（時点ｔ３３）にも受信光パワーの増加が観測されない場合には、送信光パワーの制御を中止する（時点ｔ３４）。
【００７６】
この場合においては、送信光パワー制御部１２ｃ−２では、１ステップ増加した段階（光パワーがＳ＋Ａ［ｄＢｍ］となっている段階）まで送信光パワーを弱め、光受信器１２ｂでの受信光パワーの増加を待つ。その後、送信光パワー制御部１２ｃ−２では、受信光パワーの増加（時点ｔ３５）をトリガとし再び上昇制御を開始することができ、双方向の通信を確立させることができる（時点ｔ３６，ｔ３７）。
【００７７】
このように、図１１に示すように互いの送信光を制御することで、前述の第１実施形態で得られる利点があるほか、上り下りの光ファイバ１３−１，１３−２を別線で配線する場合において、光伝送装置１１，１２間の上り光ファイバ１３−１が接続される時間と、下り光ファイバ１３−２が接続される時間との間隔に隔たりがあったとしても、適正に双方向通信を確立させることができる利点がある。
【００７８】
なお、図１１においては、制御中断時の出力光パワーは１ステップ増加した値としているが、そのほかに、初期値に戻す、中断時の出力光パワーを保つなどが考えられる。
また、接続された２本の光ファイバの一方が断線していた場合にも図１１の場合と同様のシーケンスにより、受信光パワーの過度な増加を止めることができ、そのまま断線復旧が行われた場合は接続された場合と同様に動作させることができる。
【００７９】
［ａ６］第１実施形態の第６変形例の説明
図１２は本発明の第１実施形態の第６変形例にかかる光通信システム１０Ａを示すブロック図である。図１２に示す光通信システム１０Ａにおいては、受信光パワー検出部１１ｃ−１Ａ，１２ｃ−１Ａにおいて、光ファイバ１３−２，１３−１から第１，第２光受信器１１ｂ，１２ｂに受信光として入力される光の一部を分岐して入力される光パワーを受信光パワーとして検出し、送信光パワー制御部１１ｃ−２Ａ，１２ｃ−２Ａにおいて、これらの受信光パワー検出部１１ｃ−１Ａ，１２ｃ−１Ａで検出された受信光パワーに応じて、前述の第１実施形態の場合と同様に送信光パワーを制御するようになっている。
【００８０】
このように構成しても、前述の第１実施形態の場合と同様に、光伝送装置１１，１２を初期起動して装置間接続が完了した時点から送受信光パワーを適正に自動調整することができるので、光伝送装置１１，１２間の通信に際して、接続される光ファイバの長さを考慮する必要なく、伝送路での損失を測定することなく受光素子での最適パワーで光を受光すべく送信光パワーを制御することができ、前述の第１実施形態の場合と同様の利点を得ることができる。
【００８１】
［ｂ］第２実施形態の説明
図１３は本発明の第２実施形態にかかる光通信システム２０を示すブロック図であり、この図１３に示す光通信システム２０は、２つのビル２００，３００間での通信を行なうものである。即ち、ビル２００には通信拠点２１０，２２０，２３０が、ビル３００には通信拠点３１０がそれぞれそなえられ、通信拠点間での通信を行なうことができるようになっている。
【００８２】
ここで、通信拠点２１０には前述の第１実施形態の場合と同様の光伝送装置２１１，２１２が、通信拠点２２０にも同様の光伝送装置２２１，２２２が、通信拠点２３０にも同様の光伝送装置２３１，２３２が、通信拠点３１０にも同様の光伝送装置３１１，３１２が、それぞれそなえられている。
また、通信拠点２１０の光伝送装置２１１および通信拠点２２０の光伝送装置２２１は、上り下りの２本の光ファイバ２６１−１，２６１−２と、光ファイバ２６１−１，２６１−２上に介装されたＯＤＦ（Optical Distribution Frame）２４１，２４２とからなる伝送路２６１により相互に接続されて、双方向通信を行なうことができるようになっている。尚、光伝送路２６１の伝送距離としては、例えば図１４に示すように０．６ｋｍとし、４ｄＢの光パスの損失を有するものとする（タイプＡのインターフェイス）。
【００８３】
さらに、通信拠点２１０の光伝送装置２１２および通信拠点２３０の光伝送装置２３１は、上り下りの２本の光ファイバ２６２−１，２６２−２と、光ファイバ２６２−１，２６２−２上に介装されたＯＤＦ（Optical Distribution Frame）２４３，２４４およびＰＸＣ（Photonic Cross Connect）２５０とからなる光伝送路２６２により相互に接続されて、双方向通信を行なうことができるようになっている。尚、光伝送路２６２の伝送距離としては、例えば図１４に示すように０．６ｋｍとしているが、その光パスの損失は、光伝送路２６１による損失よりも大きく、１２ｄＢの光パスの損失を有するものとする（タイプＢのインターフェイス）。
【００８４】
また、通信拠点２２０の光伝送装置２２２および通信拠点３１０の光伝送装置３１１においては、上り下りの２本の光ファイバ２６３−１，２６３−２と、光ファイバ２６３−１，２６３−２上に介装されたＯＤＦ２４１，２４２とからなる光伝送路２６３により相互に接続されて、双方向通信を行なうことができるようになっている。尚、光伝送路２６３の伝送距離としては、例えば図１４に示すように２．０ｋｍとし、４ｄＢ又は６ｄＢの光パスの損失を有するものとする（タイプＣのインターフェイス）。
【００８５】
さらに、通信拠点２３０の光伝送装置２３２および通信拠点３１０の光伝送装置３１２は、上り下りの２本の光ファイバ２６４−１，２６４−２と、光ファイバ２６４−１，２６４−２上に介装されたＯＤＦ２４３，２４４およびＰＸＣ２５０とからなる光伝送路２６４を通じて相互に接続されて、双方向通信を行なうことができるようになっている。尚、光伝送路２６４の伝送距離としては、例えば図１４に示すように２．０ｋｍとしているが、その光パスの損失は、光伝送路２６３による損失よりも大きく、１２ｄＢまたは１６ｄＢの光パスの損失を有するものとする（タイプＤのインターフェイス）。
【００８６】
このように、光伝送路２６１〜２６４の損失は、それぞれの伝送距離とともに、パスの途中に配置される機器の挿入損失により異なってくるものであるが、光伝送装置２１１および光伝送装置２２１間，光伝送装置２１２および光伝送装置２３２間，光伝送装置２２１および光伝送装置３１１間，並びに光伝送装置２３１および光伝送装置３１２間は、いずれも前述の第１実施形態の場合と同様に送信光パワーを制御するための機能（光送信部１１ａ，１２ａ，光受信部１１ｂ，１２ｂおよび受信光パワー検出部および送信光パワー制御部としての制御部１１ｃ，１２ｃ）をそなえているので、各装置を初期起動して装置間接続が完了した時点から送受信光パワーを適正に自動調整することができるので、光伝送装置間の通信に際して、接続される光ファイバの長さや伝送路上に介装される機器による挿入損失を考慮する必要なく、また伝送路での損失を測定することなく受光素子での最適パワーで光を受光すべく送信光パワーを制御することができる。従って、各光伝送装置間での通信を確立するにあたり、前述の第１実施形態の場合と同様の利点を得ることができる。
【００８７】
［ｂ１］第２実施形態の変形例の説明
図１５は本発明の第２実施形態の変形例にかかる光通信システム２０Ａを示すブロック図であり、この図１５に示す光通信システム２０Ａは、前述の第１実施形態におけるものと同様の光伝送装置を用いることによりＬＡＮ（Local Area Network）を構築したものである。
【００８８】
ここで、この図１５に示す光通信システム２０Ａにおいては、４つの情報処理装置４１０，４２０，４３０，４４０が接続されてＬＡＮが構築されたものであって、情報処理装置４１０は、ＬＡＮ上でのトランスポンダとしての３つの光伝送装置４１１〜４１３を、情報処理装置４２０においても同様の光伝送装置４２１を、情報処理装置４３０においても同様の光伝送装置４３１を、情報処理装置４４０においても同様の光伝送装置４４１を、それぞれそなえて構成されている。
【００８９】
ここで、情報処理装置４１０の３つの光伝送装置４１１〜４１３のうち、光伝送装置４１１は情報処理装置４２０の光伝送装置４２１と伝送距離２ｋｍ程度の光伝送路４５１を介して接続されて、前述の第１実施形態の場合と同様に双方向に通信を行なうことができるようになっている。
また、光伝送装置４１２は情報処理装置４３０の光伝送装置４３１と伝送距離４ｋｍ程度の光伝送路４５２を介して接続されて、前述の第１実施形態の場合と同様に双方向に通信を行なうことができるようになっている。同様に、光伝送装置４１３は情報処理装置４４０の光伝送装置４４１と伝送距離２０ｋｍ程度の光伝送路４５３を介して接続されて、前述の第１実施形態の場合と同様に双方向に通信を行なうことができるようになっている。
【００９０】
なお、上述の各光伝送路４５１〜４５３は、上り下りで共用の１本の光ファイバで構成することができるほか、前述の各実施形態の場合と同様に、上り下りの２本の光ファイバで構成することとしてもよい。
また、各情報処理装置４１０，４２０，４３０，４４０においては、前述の図２に示すものと同様のコネクタ構造により、トランスポンダとしての各光伝送装置と光ファイバとを接続できるようになっている。
【００９１】
このような光通信システム２０ＡとしてのＬＡＮを構築するにあたっては、ネットワーク構築者は各情報処理装置４１０，４２０，４３０，４４０間を接続するために、それぞれの光伝送装置間を光ファイバケーブルにより接続する必要があるが、各情報処理装置４１０，４２０，４３０，４４０の光伝送装置４１１〜４１３，４２１，４３１，４４１はいずれも前述の第１実施形態の場合と同様の送信光パワーを制御するための機能をそなえているので、いずれの光伝送装置間を接続しても、装置を起動して光ファイバを接続した時点から互いの送信光パワーを適正レベルに調整する制御を行なうことができるので、前述の第１実施形態の場合と同様の利点を得ることができる。
【００９２】
すなわち、ネットワーク構築者としては、２０ｋｍ程度の比較的長い光ファイバを通じた通信を行なっていた光伝送装置に、２ｋｍ程度の比較的短い光ファイバを介して通信を行なう光伝送装置に接続する等、伝送路でのファイバ長や介装される機器等による損失に応じて仕様の異なる光伝送装置を接続するような手間を不要とし、ネットワーク構築の際の利便性を向上させることができる。
【００９３】
［ｃ］その他
本発明によれば、上述の各実施形態によらず、本発明の趣旨を逸脱しない範囲で種々変形して実施することができる。
たとえば、上述の各実施形態においては、光伝送装置間を接続する光ファイバとしては上り下り用の２本の光ファイバにより構成しているが、本発明によればこれに限定されるものではなく、例えば１本の光ファイバにより上り下りの光信号を共用して伝送するようにしてもよい。
【００９４】
［ｄ］付記
（付記１）  光ファイバを介して２つの光伝送装置が接続され、上記２つの光伝送装置のうちの一方の光伝送装置が、該光ファイバを介し上記２つの光伝送装置のうちの他方の光伝送装置に対して光を送信する第１光送信器と、上記他方の光伝送装置からの光を受信光として受信する第１光受信器とをそなえ、該第１光受信器で受信される光のパワーをもとに該第１光送信器で送信する光のパワーを制御するように構成され、上記他方の光伝送装置が、該光ファイバを介し上記一方の光伝送装置に対して光を送信する第２光送信器と、上記一方の光伝送装置からの光を受信光として受信する第２光受信器と、該第２光受信器で受信される光のパワーをもとに該第２光送信器で送信する光のパワーを制御するように構成された光通信システムにおける上記各光伝送装置による送信光パワー制御方法であって、
上記各光伝送装置の起動時において、当該それぞれの光伝送装置における該光送信器で上記送信する光として、十分に小さな光パワーで発光し、
上記２つの光伝送装置における一方の光伝送装置において、該光送信器での発光とともに、他方の光伝送装置の光送信器から伝送される光について該光受信器で受光したことを確認すると、該光受信器で受信された受信光の光パワーをもとに、当該一方の光伝送装置における光送信器で送信する光のパワーを上昇させる制御を行なうとともに、
上記２つの光伝送装置における他方の光伝送装置において、該光送信器での発光とともに、一方の光伝送装置の光送信器から伝送される光について該光受信器で受光したことを確認すると、該光受信器で受信された受信光の光パワーをもとに、当該他方の光伝送装置における光送信器で送信する光のパワーを上昇させる制御を行ない、
かつ、上記２つの光伝送装置における一方の光伝送装置において、該光受信器で受信された受信光の光パワーが当該光受信器における適正な受信パワー値となったか否かを判定するとともに、上記の受信光パワーが受信パワー値となったと判定された場合に、当該一方の光伝送装置における光送信器で送信する光のパワーを上昇させる制御を停止するとともに、
上記２つの光伝送装置における他方の光伝送装置において、該光受信器で受信された受信光の光パワーが当該光受信器における適正な受信パワー値となったか否かを判定するとともに、上記の受信光パワーが適正な受信パワー値となったと判定された場合に、当該他方の光伝送装置における光送信器で送信する光のパワーを上昇させる制御を停止することを
特徴とする、送信光パワー制御方法。
【００９５】
（付記２）  光ファイバを介して２つの光伝送装置が接続され、各光伝送装置が、該光ファイバを介し対向光伝送装置に対して光を送信する光送信器と、該対向光伝送装置からの光を受信光として受信する光受信器と、該光受信器で受信される光のパワーをもとに該光送信器で送信する光のパワーを制御する送信光パワー制御部とをそなえてなる光通信システムにおける各光伝送装置の上記送信光パワー制御部による送信光パワー制御方法であって、
該光送信器において上記送信する光を、起動時においては十分に小さな光パワーで発光する初期起動制御ステップと、
該初期起動制御ステップにおける該光送信器での発光とともに、対向光伝送装置から伝送される光の光受信器での受光をそれぞれ確認する発光・受光確認ステップと、
該発光・受光確認ステップにおいて上記発光および受光をともに確認してから開始し、該光受信器で受信された受信光の光パワーをもとに、当該光伝送装置における光送信器で送信する光のパワーを上昇させる制御を行なう光パワー上昇制御ステップと、
該光受信器で受信された受信光の光パワーが当該光受信器における適正な受信パワー値となったか否かを判定するとともに、上記の受信光パワーが受信パワー値となったと判定された場合に、当該光伝送装置における光送信器で送信する光のパワーを上昇させる制御を停止する判定制御ステップと、
をそなえて構成されたことを特徴とする、送信光パワー制御方法。
【００９６】
（付記３）  該光パワー上昇制御ステップにおいては、
各光伝送装置の光送信器で送信する光のパワーを、互いにほぼ同一の周期でステップ状に上昇させるように制御することにより、それぞれの光送信器で送信する光のパワー制御を同期させることを特徴とする、付記２記載の送信光パワー制御方法。
（付記４）  上記の各光伝送装置の光受信器が、受信する光のパワーに応じた振幅の電流信号を出力する受光素子により構成され、
該初期起動制御ステップにおいて、該光送信器で上記起動時において発光する光の光パワーを、
当該光を対向光伝送装置における光受信器で受信したときに、当該対向光伝送装置の光受信器としての受光素子における暗電流よりも大きな振幅の電流信号が出力されるような光パワーとすることを特徴とする、付記２または３記載の送信光パワー制御方法。
【００９７】
（付記５）  該判定制御ステップにおいて、該光受信器で受信した受信光の光パワーが当該光受信器における適正な受信パワー値まで上昇したか否かを判定するとともに、上記受信光の光パワーが適正な受信パワー値まで上昇したと判定された場合に、当該光伝送装置における光送信器で送信する光のパワーの上昇を停止させることを特徴とする、付記２〜４のいずれか１項記載の送信光パワー制御方法。
【００９８】
（付記６）  該判定制御ステップにおいて、該光受信器で受信した受信光の光パワーが当該光受信器における適正な受信パワー値まで上昇したか否かを判定するとともに、上記受信光パワーが適正な受信パワー値まで上昇したと判定された場合に、当該光伝送装置における光送信器で送信する光のパワーの上昇を、更に所定量上昇させてから停止させることを特徴とする、付記２〜４のいずれか１項記載の送信光パワー制御方法。
【００９９】
（付記７）  該判定制御ステップにおいて、上記受信光の光パワーの上昇が、当該光受信器における適正な受信パワー値に至らずに停止した場合には、該光送信器で送信する光のパワーを更に一定量上昇させた後に停止させることを特徴とする、付記５記載の送信光パワー制御方法。
（付記８）  該判定制御ステップにおいて、上記受信光の光パワーの上昇が、当該光受信器における適正な受信パワー値に至らずに停止した場合には、当該光伝送装置における光送信器で送信する光のパワーの上昇を、上記受信光パワーの上昇の停止時点から所定時間経過後に停止させることを特徴とする、付記５記載の送信光パワー制御方法。
【０１００】
（付記９）  該判定制御ステップにおいて、上記受信光の光パワーの上昇が、当該光受信器における適正な受信パワー値に至らずに停止した場合には、該光送信器で送信する光のパワーを、該対向光伝送装置から送信すべき光のパワーを増加させる要求を示すパターンで増減させることを特徴とする、付記５記載の送信光パワー制御方法。
（付記１０）  光ファイバを介して２つの光伝送装置が対向して接続されてなる光通信システムであって、
上記２つの光伝送装置のそれぞれが、
該光ファイバを介し対向光伝送装置に対して光を送信する光送信器と、
該対向光伝送装置からの光を、該光ファイバを介し受信する光受信器と、
該光受信器で受信される光のパワーを検出する受信光パワー検出部と、
該光送信器で送信する光のパワーを制御する送信光パワー制御部とをそなえ、
かつ、該送信光パワー制御部が、
起動時に十分に小さな光パワーで発光させるとともに、
該受信光パワー検出部で検出された受信光パワーをもとに該光受信器での受光を確認するとともに、該光送信器における上記起動時の発光をそれぞれ確認すると、該光送信器で送信する光のパワーについての上昇を開始させる一方、
該受信光パワー検出部で検出された受信光パワー値に応じて、当該光伝送装置における光送信器で送信する光のパワーの上昇を制御すべく構成されたことを特徴とする、光通信システム。
【０１０１】
（付記１１）  該送信光パワー制御部が、
該光送信器で送信する光のパワーを、互いに同一の上昇量でステップ状に上昇させるように制御することにより、それぞれの光送信器で送信する光のパワー制御を同期させるように構成されたことを特徴とする、付記１０記載の光通信システム。
（付記１２）  上記の各光伝送装置の光受信器が、受信する光のパワーに応じた振幅の電流信号を出力する受光素子により構成され、
該送信光パワー制御部が、
上記起動時において発光される光の光パワーを、該対向光伝送装置の光受信器としての受光素子において、当該受光素子の暗電流よりも大きな振幅の電流信号が入力されるような光パワーとなるように、該対向光伝送装置に送信すべき光の光パワーを制御することを特徴とする、付記１０または１１記載の光通信システム。
【０１０２】
（付記１３）  該送信光パワー制御部が、該受信光パワー検出部で検出された受信光パワーが該光受信器における適正な受信パワー値まで上昇したか否かを判定するとともに、上記受信光パワーが適正な受信パワー値まで上昇したと判定された場合に、当該光伝送装置における光送信器で送信する光のパワーの上昇を停止すべく該光送信器を制御するように構成されたことを特徴とする、付記１０〜１２のいずれか１項記載の光通信システム。
【０１０３】
（付記１４）  該送信光パワー制御部が、該受信光パワー検出部で検出された受信光パワーが該光受信器における適正な受信パワー値まで上昇したか否かを判定するとともに、上記受信光パワーが適正な受信パワー値まで上昇したと判定された場合に、当該光伝送装置における光送信器で送信する光のパワーの上昇を、更に所定量上昇させてから停止すべく該光送信器を制御するように構成されたことを特徴とする、付記１０〜１２のいずれか１項記載の光通信システム。
【０１０４】
（付記１５）  該光送信パワー制御部が、該受信光パワー検出部で検出された受信光パワーの上昇が、該光受信器における適正な受信パワー値まで上昇せずに停止した場合に、該光送信器で送信する光のパワーを一定量上昇させた後に当該上昇を停止すべく、該光送信器を制御するように構成されたことを特徴とする、付記１３記載の光通信システム。
（付記１６）  該送信光パワー制御部が、該受信光パワー検出部で検出された受信光パワーの上昇が、該光受信器における適正な受信パワー値まで上昇せずに停止した場合に、該光送信器で送信する光のパワーの上昇を、上記受信光パワーの上昇の停止時点から所定時間経過後に停止すべく、該光送信器を制御するように構成されたことを特徴とする、付記１３記載の光通信システム。
【０１０５】
（付記１７）  該送信光パワー制御部が、該受信光パワー検出部で検出された受信光パワーの上昇が、該光受信器における適正な受信パワー値まで上昇せずに停止した場合に、該光送信器で送信する光のパワーを、該対向光伝送装置から送信すべき光のパワーを増加させる要求を示すパターンとすべく、該光送信器を制御するように構成されたことを特徴とする、付記１３記載の光通信システム。
【０１０６】
（付記１８）  上記２つの光伝送装置間を接続する光ファイバが、一方の光伝送装置から他方の光伝送装置への伝送用と、上記他方の光伝送装置から上記一方の光伝送装置への伝送用として、２本の光ファイバにより構成されたことを特徴とする、付記１０〜１７のいずれか１項記載の光通信システム。
（付記１９）  光ファイバを介して２つの光伝送装置が対向して接続されてなる光通信システムにおける光伝送装置であって、
該光ファイバを介し対向光伝送装置に対して光を送信する光送信器と、
該対向光伝送装置からの光を、該光ファイバを介し受信する光受信器と、
該光受信器で受信される光のパワーを検出する受信光パワー検出部と、
該光送信器で送信する光のパワーを制御する送信光パワー制御部とをそなえ、
かつ、該送信光パワー制御部が、
起動時に十分に小さな光パワーで発光させるとともに、
該受信光パワー検出部で検出された受信光パワーをもとに該光受信器での受光を確認するとともに、該光送信器における上記起動時の発光をそれぞれ確認すると、該光受信器での受信光パワーを目標値とするために、該対向光伝送装置からの光レベルを上昇させるべく、該光送信器で送信する光のパワーについての上昇を開始させる一方、
該受信光パワー検出部で検出された受信光パワー値に応じて、当該光伝送装置における光送信器で送信する光のパワーの上昇を制御すべく構成されたことを特徴とする、光伝送装置。
【０１０７】
（付記２０）  該送信光パワー制御部が、該受信光パワー検出部で検出された受信光パワーが該光受信器における適正な受信パワー値まで上昇したか否かを判定するとともに、上記受信光パワーが上記目標値としての適正な受信パワー値まで上昇したと判定された場合に、該光送信器で送信する光のパワーの上昇を停止すべく該光送信器を制御するように構成されたことを特徴とする、付記１９記載の光伝送装置。
【０１０８】
（付記２１）  該光送信パワー制御部が、該受信光パワー検出部で検出された受信光パワーの上昇が、上記目標値としての該光受信器における適正な受信パワー値まで上昇せずに停止した場合に、該光送信器で送信する光のパワーを一定量上昇させた後に当該上昇を停止すべく、該光送信器を制御するように構成されたことを特徴とする、付記２０記載の光伝送装置。
【０１０９】
（付記２２）  該送信光パワー制御部が、該受信光パワー検出部で検出された受信光パワーの上昇が、上記目標値としての該光受信器における適正な受信パワー値まで上昇せずに停止した場合に、該光送信器で送信する光のパワーの上昇を、上記受信光パワーの上昇の停止時点から所定時間経過後に停止すべく、該光送信器を制御するように構成されたことを特徴とする、付記２０記載の光伝送装置。
【０１１０】
（付記２３）  該送信光パワー制御部が、該受信光パワー検出部で検出された受信光パワーの上昇が、上記目標値としての該光受信器における適正な受信パワー値まで上昇せずに停止した場合に、該光送信器で送信する光のパワーを、該対向光伝送装置から送信すべき光のパワーを増加させる要求を示すパターンとすべく、該光送信器を制御するように構成されたことを特徴とする、付記２０記載の光伝送装置。
【図面の簡単な説明】
【０１１１】
【図１】本発明の第１実施形態にかかる光通信システムを示すブロック図である。
【図２】本発明の第１実施形態にかかる光通信システムを示すブロック図である。
【図３】本発明の第１実施形態にかかる光通信システムの要部を示す図である。
【図４】本発明の第１実施形態の動作を説明するためのフローチャートである。
【図５】本発明の第１実施形態の動作を説明するためのタイムチャートである。
【図６】本発明の第１実施形態の第１変形例における動作を説明するためのタイムチャートである。
【図７】本発明の第１実施形態の第２変形例における動作を説明するためのタイムチャートである。
【図８】本発明の第１実施形態の第３変形例における動作を説明するためのタイムチャートである。
【図９】本発明の第１実施形態の第４変形例における動作を説明するためのタイムチャートである。
【図１０】本発明の第１実施形態の第５変形例における動作を説明すべく、第５変形例における制御を行わない場合の動作について説明するためのタイムチャートである。
【図１１】本発明の第１実施形態の第５変形例における動作を説明するためのタイムチャートである。
【図１２】本発明の第１実施形態の第６変形例にかかる光通信システムを示すブロック図である。
【図１３】本発明の第２実施形態にかかる光通信システムを示すブロック図である。
【図１４】本発明の第２実施形態にかかる光通信システムにおける光伝送路の仕様を示す図である。
【図１５】本発明の第２実施形態の変形例にかかる光通信システムを示すブロック図である。
【図１６】従来例を示すブロック図である。
【符号の説明】
【０１１２】
１０，１０Ａ，２０，２０Ａ  光通信システム
１１，１２、２１１，２１２，２２１，２２２，２３１，２３２，３１１，３１２，４１１〜４１３，４２１，４３１，４４１    光伝送装置
１１ａ，１２ａ    光送信器
１１ａ−１，１２ａ−１  ＬＤ
１１ｂ，１２ｂ    光受信器
１１ｂ−１，１２ｂ−１  ＰＤ
１１ｂ−２，１２ｂ−２  抵抗
１１ｃ，１２ｃ    制御部
１１ｄ，１２ｄ    挿入受け部
１１ｃ−１，１２ｃ−１，１１ｃ−１Ａ，１２ｃ−１Ａ    Ａ／Ｄ変換部（受信光パワー検出部）
１１ｃ−２，１２ｃ−２，１１ｃ−２Ａ，１２ｃ−２Ａ    送信光パワー制御部
１３−１，１３−２，２６１−１，２６１−２，２６２−１，２６２−２，２６３−１，２６３−２，２６４−１，２６４−２    光ファイバ
１３ａ，１３ｂ    挿入部
２００，３００    ビル
２４１〜２４４    ＯＤＦ
２５０    ＰＸＣ
２６１〜２６４，４５１〜４５３    光伝送路
４１０，４２０，４３０，４４０    情報処理装置
【図１】
2005136772.tif 000003
【図２】
2005136772.tif 000004
【図３】
2005136772.tif 000005
【図４】
2005136772.tif 000006
【図５】
2005136772.tif 000007
【図６】
2005136772.tif 000008
【図７】
2005136772.tif 000009
【図８】
2005136772.tif 000010
【図９】
2005136772.tif 000011
【図１０】
2005136772.tif 000012
【図１１】
2005136772.tif 000013
【図１２】
2005136772.tif 000014
【図１３】
2005136772.tif 000015
【図１４】
2005136772.tif 000016
【図１５】
2005136772.tif 000017
【図１６】
2005136772.tif 000018